(57)【要約】【課題】配送品の配送管理を簡易にかつ精細に行う。【解決手段】配送情報を印字するための配送情報印字領域１１を有し、この配送情報によって配送される配送品に貼付されるシート１０と、シート１０に印字された配送情報によって配送される配送品に貼付されるシート２０ａ〜２０ｃとが剥離紙４０に貼付されて構成された配送伝票において、シート１０に、情報の書き込み及び読み出しが可能なＩＣモジュール１３を内蔵し、また、シート２０ａ〜２０ｃに、予め付与された識別情報が記録されたＩＣモジュール２３ａ〜２３ｃを内蔵し、さらに、ＩＣモジュール１３にＩＣモジュール２３ａ〜２３ｃの識別情報を書き込んでおく。【選択図】　図１
2004045944.tif 000002
【特許請求の範囲】
【請求項１】
配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１のシートには、情報の書き込み及び読み出しが可能なＩＣモジュールが内蔵され、
前記第２のシートには、予め付与された識別情報が記録されたＩＣモジュールが内蔵され、
前記第１のシートに内蔵されたＩＣモジュールには、前記第２のシートに内蔵されたＩＣモジュールの識別情報が書き込まれていることを特徴とする配送伝票。
【請求項２】
請求項１に記載の配送伝票において、
前記第１のシートと前記第２のシートとが分離されていない状態にて、前記第２のシートに内蔵されたＩＣモジュールに対向する領域に導電性材料が形成されていることを特徴とする配送伝票。
【請求項３】
配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１及び第２のシートには、同一の識別マークが印字されていることを特徴とする配送伝票。
【請求項４】
配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１及び第２のシートは、同一色に着色された着色領域を有することを特徴とする配送伝票。
【発明の詳細な説明】
【０００１】
【発明の属する技術分野】
本発明は、配送品に貼付されてこの配送品の配送業務や業務管理等に用いられる配送伝票に関し、特に、同一差出人から同一受取人に同時に複数の配送品が差し出される場合に使用される配送伝票に関する。
【０００２】
【従来の技術】
従来より、同一差出人から同一受取人に同時に複数の配送品が差し出される場合、それぞれに貼付される配送伝票に対する差出人の住所や氏名、受取人の住所や氏名等の配送情報の記入の手間を削減するために、バーコード情報等によって管理情報が印刷された配送伝票を、同一差出人から同一受取人に同時に差し出される配送品のそれぞれに貼付し、そのうちの一つの配送伝票のみに、差出人の住所や氏名、受取人の住所や氏名等の配送情報を記入することが行われている。
【０００３】
図７は、従来の配送伝票の一例を示す図であり、（ａ）は表面構成を示す図、（ｂ）は積層構造を示す図である。
【０００４】
本従来例は図７に示すように、シート５１０，５２０ａ〜５２０ｃが粘着剤５３０によって同一の剥離紙５４０に剥離可能に貼付されて構成されている。シート５１０には、差出人の住所や氏名、受取人の住所や氏名、品名等の配送情報が印字されるための配送情報印字領域５１１が設けられているとともに、シート５１０を識別可能なバーコード情報５１２が印刷されている。また、シート５２０ａ〜５２０ｃには、シート５１０に印刷されたバーコード情報５１２と関連付けられたバーコード情報５２２ａ〜５２２ｃがそれぞれ印刷されている。例えば、シート５１０の識別情報が“００１”の場合には、シート５２０ａには“００１−０１”、シート５２０ｂには“００１−０２”、シート５２０ｃには“００１−０３”といった識別情報が印字される。
【０００５】
上記のように構成された配送伝票を用いて配送品を配送する場合は、シート５１０に設けられた配送情報印字領域５１１に、差出人の住所や氏名、受取人の住所や氏名、品名等の配送情報を印字または記入し、このシート５１０を配送品に貼付する。また、シート５１０が貼付された配送品と同時に同一受取人に差し出す配送品がある場合は、シート５１０と同一の剥離紙５４０に貼付されたシート５２０ａ〜５２０ｃをその配送品に貼付する。
【０００６】
配送品を配送する配送業者においては、シート５１０の配送情報印字領域５１１に印字された配送情報を、シート５１０に印刷されたバーコード情報５１２と対応づけて管理することにより、シート５１０が貼付された配送品の配送業務をバーコード情報５１２を用いて管理する。また、シート５２０ａ〜５２０ｃが貼付された配送品においては、シート５２０ａ〜５２０ｃには、シート５１０に印刷されたバーコード情報５１２と関連付けられたバーコード情報５２２ａ〜５２２ｃが印刷されているため、このバーコード情報５２２ａ〜５２２ｃを用いれば、シート５２０ａ〜５２０ｃが貼付された配送品の配送業務を管理することができる。
【０００７】
【発明が解決しようとする課題】
上述したような従来の配送伝票においては、同一差出人から同一受取人に同時に差し出される配送品どうしの対応づけを、配送品のそれぞれに貼付されたシートに印刷されたバーコード情報を用いて行っているため、配送情報が記載されていないシートが貼付された配送品においては、そのシートに印刷されたバーコード情報をバーコードリーダで読み取ることによって配送先等の情報が認識されることになる。
【０００８】
しかしながら、バーコード情報をバーコードリーダで読み取る場合は、バーコード情報をバーコードリーダに対向させる必要があるため、配送品の向きや、積載された場合はその積載状態等によっては、バーコード情報を読み取る際に、配送品の向きを変えたり、バーコード情報が隠れないように積載状態を変えたりしなければならず、手間がかかってしまうという問題点がある。
【０００９】
本発明は、上述したような従来の技術が有する問題点に鑑みてなされたものであって、配送品の配送管理を簡易にかつ正確に行うことができる配送伝票を提供することを目的とする。
【００１０】
【課題を解決するための手段】
上記目的を達成するために本発明は、
配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１のシートには、情報の書き込み及び読み出しが可能なＩＣモジュールが内蔵され、
前記第２のシートには、予め付与された識別情報が記録されたＩＣモジュールが内蔵され、
前記第１のシートに内蔵されたＩＣモジュールには、前記第２のシートに内蔵されたＩＣモジュールの識別情報が書き込まれていることを特徴とする。
【００１１】
また、前記第１のシートと前記第２のシートとが分離されていない状態にて、前記第２のシートに内蔵されたＩＣモジュールに対向する領域に導電性材料が形成されていることを特徴とする。
【００１２】
また、配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１及び第２のシートには、同一の識別マークが印字されていることを特徴とする。
【００１３】
また、配送情報を印字するための領域を有し、該領域に印字された配送情報によって配送される配送品に貼付される第１のシートと、前記配送情報によって配送される配送品に貼付される少なくとも１つの第２のシートとが、互いに分離可能に、かつ、同一紙面を形成するように構成された配送伝票において、
前記第１及び第２のシートは、同一色に着色された着色領域を有することを特徴とする。
【００１４】
（作用）
上記のように構成された本発明においては、配送情報を印字するための領域を有し、この領域に印字された配送情報によって配送される配送品に貼付される第１のシートと、第１のシートに印字された配送情報によって配送される配送品に貼付される少なくとも１つの第２のシートとが、互いに分離可能に、かつ、同一紙面を形成するように構成された配送伝票において、第１のシートには、情報の書き込み及び読み出しが可能なＩＣモジュールが内蔵され、また、第２のシートには、予め付与された識別情報が記録されたＩＣモジュールが内蔵され、さらに、第１のシートに内蔵されたＩＣモジュールには、第２のシートに内蔵されたＩＣモジュールの識別情報が書き込まれている。ここで、第１のシートに配送情報を印字する際、第１のシートに内蔵されたＩＣモジュールから第２のシートに内蔵されたＩＣモジュールの識別情報を読み出し、この識別情報を第１のシートに印字する配送情報と対応づけて管理しておく。
【００１５】
これにより、第２のシートに内蔵されたＩＣモジュールから識別情報が読み出された場合に、第２のシートが貼付された配送品の配送情報を認識することができる。
【００１６】
また、第１のシートと第２のシートとが分離されていない状態において、第２のシートに内蔵されたＩＣモジュールに対向する領域に導電性材料を形成しておけば、第２のシートに内蔵されたＩＣモジュールは、第２のシートが剥離紙から剥離された場合にのみ使用可能となり、第２のシートに内蔵されたＩＣモジュールから誤って情報を読み出してしまったり、第２のシートを誤って使用してしまったりすることがなくなる。
【００１７】
また、第１及び第２のシートに同一の識別マークを印字しておけば、同一の配送情報によって配送される配送品を目視によっても容易に認識することができる。
【００１８】
また、第１及び第２のシートに、同一色に着色された着色領域を設けておけば、同一の配送情報によって配送される配送品を目視によっても容易に認識することができる。
【００１９】
【発明の実施の形態】
以下に、本発明の実施の形態について図面を参照して説明する。
【００２０】
（第１の実施の形態）
図１は、本発明の配送伝票の第１の実施の形態を示す図であり、（ａ）は表面構成を示す図、（ｂ）は積層構造を示す図である。
【００２１】
本形態は図１に示すように、第１のシート１０と第２のシート２０ａ〜２０ｃとが粘着剤３０によって同一の剥離紙４０に剥離可能に貼付されて構成されており、それにより、シート１０とシート２０ａ〜２０ｃとが同一紙面を形成するような構成となっている。シート１０には、その表面に、差出人の住所や氏名、受取人の住所や氏名、品名等の配送情報が印字されるための配送情報印字領域１１が設けられているとともにシート１０を識別可能なバーコード情報１２が印刷されており、また、予め付与された識別情報が書き込まれ、非接触状態にて情報の書き込み及び読み出しが可能なＩＣモジュール１３が内蔵されている。また、シート２０ａ〜２０ｃには、シート１０に印刷されたバーコード情報１２と関連付けられたバーコード情報２２ａ〜２２ｃがそれぞれ印刷されており、また、予め付与された識別情報がそれぞれ記録され、非接触状態にて情報の読み出しが可能なＩＣモジュール２３ａ〜２３ｃが内蔵されている。また、シート１０に内蔵されたＩＣモジュール１３には、ＩＣモジュール２３ａ〜２３ｃの識別情報も書き込まれている。なお、本形態においては、シート１０と同一の剥離紙４０に３つのシート２０ａ〜２０ｃが貼付されているが、その数は３つに限らず、１つ以上であればよい。
【００２２】
上記のように構成される配送伝票においては、まず、シート１０に配送情報印字領域１１が設けられるとともにバーコード情報１２が印刷され、また、シート２０にバーコード情報２２ａ〜２２ｃが印刷される。
【００２３】
その後、シート１０，２０にＩＣモジュール１３，２３ａ〜２３ｃがそれぞれ内蔵され、ＩＣモジュール１３，２３ａ〜２３ｃが内蔵されたシート１０，２０が粘着剤３０によって剥離紙４０が貼付可能に貼付されて作製される。
【００２４】
また、ＩＣモジュール２３ａ〜２３ｃにおいては、それぞれ識別可能な識別情報が記録されているが、ＩＣモジュール２３ａ〜２３ｃの識別情報がそれぞれ読み出され、この読み出された識別情報がＩＣモジュール１３に書き込まれる。また、バーコード情報１２，２２ａ〜２２ｃをＩＣモジュール１３に書き込むことも考えられる。
【００２５】
以下に、上述したように作製された配送伝票の発行処理について説明する。
【００２６】
図２は、図１に示した配送伝票を発行する発行システムの実施の一形態を示す図である。
【００２７】
本形態は図２に示すように、配送伝票を発行する発行装置１と、配送伝票を発行するための、配送伝票に印字すべき配送情報となる印字データや、配送伝票に内蔵されたＩＣモジュール１３にエンコードすべきエンコードデータや、印字レイアウト及びエンコードレイアウト等の制御情報からなる発行情報を発行情報データベース３から取り出して発行装置１に供給するとともに、発行装置１における配送伝票の発行状況を発行装置１から受け取り、配送情報として配送情報データベース４に登録することにより配送伝票を用いた配送業務を管理する上位装置２とから構成されている。
【００２８】
以下に、図２に示した発行システムにおいて図１に示した配送伝票を発行する際の処理について説明する。
【００２９】
図３は、図２に示した発行システムにおいて図１に示した配送伝票を発行する際の処理を説明するためのフローチャートである。
【００３０】
まず、上位装置２において、配送伝票に印字すべき配送情報となる印字データや、配送伝票のシート１０に内蔵されたＩＣモジュール１３にエンコードすべきエンコードデータや、印字レイアウト及びエンコードレイアウト等の制御情報からなる発行情報が発行情報データベース３から取り出される（ステップＳ１）。なお、発行情報データベース３においては、上述したような発行情報が、それぞれ識別可能な識別情報に対応づけられて登録されており、上位装置２において、識別情報とともに取り出される。
【００３１】
上位装置２にて発行情報データベース３から取り出された発行情報は、上位装置２から発行装置１に供給される（ステップＳ２）。なお、発行情報の上位装置２から発行装置１への供給は、例えば、通信回線を用いて行うことが考えられる。
【００３２】
上位装置２から供給された発行情報は、発行装置１にて受け取られ（ステップＳ３）、発行装置１内に記憶される（ステップＳ４）。
【００３３】
その後、発行する配送伝票が発行装置１にセットされると、発行装置１において、必要に応じて、配送伝票のシート１０に内蔵されたＩＣモジュール１３の動作の正常性が確認される。なお、ＩＣモジュール１３の動作の正常性の確認は、ＩＣモジュール１３に所定の情報を書き込み、その後、ＩＣモジュール１３から情報を読み出し、書き込んだ情報と読み出した情報とを比較することにより、情報が正確に書き込まれ、読み出されているかどうかを確認することにより行われる。
【００３４】
ＩＣモジュール１３の動作の正常性が確認されると、次に、配送伝票のシート１０に内蔵されたＩＣモジュール１３にＩＣモジュール１３を識別可能な識別情報が記録されている場合は、ＩＣモジュール１３からその識別情報が読み出され（ステップＳ５）、読み出された識別情報が発行装置１内に記憶される（ステップＳ６）。また、この際、ＩＣモジュール１３には、シート２０に内蔵されたＩＣモジュール２３ａ〜２３ｃに予め付与された識別情報も書き込まれているため、これらの識別情報も発行装置１にて読み出され、記憶される。
【００３５】
次に、発行装置１において、上位装置２から供給され、発行装置１内に記憶されたエンコードレイアウトに従って、上位装置２から供給され、発行装置１内に記憶されたエンコードデータがＩＣモジュール１３に書き込まれる（ステップＳ７）。
【００３６】
次に、発行装置１において、上位装置２から供給され、発行装置１内に記憶された印字レイアウトに従って、上位装置２から供給され、発行装置１内に記憶された配送情報となる印字データが配送伝票の配送情報印字領域１１に印字される（ステップＳ８）。
【００３７】
その後、発行装置１において、ＩＣモジュール１３に対するエンコードデータの書き込み結果及び配送情報印字領域１１に対する印字データの印字結果を含む発行状況が上位装置２に報告される（ステップＳ９）。
【００３８】
発行装置１から報告された発行状況が上位装置２にて受け取られると（ステップＳ１０）、上位装置２において、受け取られた発行状況が配送情報として配送情報データベース４に登録される（ステップＳ１１）。
【００３９】
ここで、発行装置１から上位装置２に報告され、配送情報データベース４に登録される配送情報について詳細に説明する。
【００４０】
発行装置１にて発行される配送伝票のシート１０に内蔵されたＩＣモジュール１３には、上述したようにＩＣモジュール２３ａ〜２３ｃを識別可能な識別情報が書き込まれており、これらの識別情報が発行装置１にて読み出され、記憶されている。また、発行装置１におけるＩＣモジュール１３に対するエンコードデータの書き込みや発行情報印字領域１１に対する印字データの印字は、上位装置２から供給され発行装置１内に記憶された発行情報に基づいて行われたものであり、この発行情報には上述したように発行情報毎に識別情報が付与されており、発行装置１内に記憶されている。
【００４１】
発行装置１においては、ＩＣモジュール１３に対するエンコードデータの書き込み結果及び配送情報印字領域１１に対する印字データの印字結果を、これらのエンコードデータ及び印字データを含む発行情報の識別情報と、ＩＣモジュール１３から読み出された、ＩＣモジュール１３，２３ａ〜２３ｃの識別情報と対応づけて上位装置２に報告する。
【００４２】
上位装置２においては、発行情報の識別情報と、この発行情報によって発行された配送伝票のシート１０に内蔵されたＩＣモジュール１３の識別情報との対応づけに基づいて、ＩＣモジュール１３から識別情報が読み出された場合に、ＩＣモジュール１３が内蔵されたシート１０が貼付された配送品の配送情報を認識することができるとともに、この配送品と同時に同一差出人から同一受取人に差し出される配送品に貼付されたシート２０ａ〜２０ｃに内蔵されたＩＣモジュール２３ａ〜２３ｃの識別情報を認識することができる。また、ＩＣモジュール２３ａ〜２３ｃの識別情報と発行情報の識別情報との対応づけに基づいて、ＩＣモジュール２３ａ〜２３ｃから識別情報が読み出された場合に、ＩＣモジュール２３ａ〜２３ｃが内蔵されたシート２０ａ〜２０ｃが貼付された配送品の配送情報を認識することができる。
【００４３】
なお、上述したように、シート２０ａ〜２０ｃに内蔵されるＩＣモジュール２３ａ〜２３ｃにおいては、予め書き込まれた識別情報が読み出されるだけのものであればよいため、安価なものを用いることができる。
【００４４】
また、本形態においては、バーコードを利用して配送品を管理するシステムと、ＩＣモジュールを利用して配送品を管理するシステムとが併用されるケースを想定しているが、ＩＣモジュールのみを利用して配送品を管理するシステムにおいては、シート１０，２０ａ〜２０ｃにバーコード情報を印刷する必要はない。
【００４５】
（第２の実施の形態）
図４は、本発明の配送伝票の第２の実施の形態を示す図であり、（ａ）は表面構成を示す図、（ｂ）は積層構造を示す図である。
【００４６】
本形態は図４に示すように、第１のシート１１０と第２のシート１２０ａ〜１２０ｃとが粘着剤１３０によって同一の剥離紙１４０に剥離可能に貼付されて構成されており、それにより、シート１１０とシート１２０ａ〜１２０ｃとが同一紙面を形成するような構成となっている。シート１１０には、その表面に、差出人の住所や氏名、受取人の住所や氏名、品名等の配送情報が印字されるための配送情報印字領域１１１が設けられているとともにシート１１０を識別可能な識別マーク１１４が印刷されており、また、予め付与された識別情報が書き込まれ、非接触状態にて情報の書き込み及び読み出しが可能なＩＣモジュール１１３が内蔵されている。また、シート１２０ａ〜１２０ｃには、シート１１０に印刷された識別マーク１１４と同一の識別マーク１２４ａ〜１２４ｃがそれぞれ印刷されており、また、予め付与された識別情報がそれぞれ書き込まれ、非接触状態にて情報の読み出しが可能なＩＣモジュール１２３ａ〜１２３ｃが内蔵されている。また、シート１１０に内蔵されたＩＣモジュール１１３には、ＩＣモジュール１２３ａ〜１２３ｃの識別情報も書き込まれている。なお、識別マーク１１４，１２４ａ〜１２４ｃにおいては、オンデマンドプリント技術を用いて、配送伝票毎に異なるように印刷することが考えられる。また、本形態においては、シート１１０と同一の剥離紙１４０に３つのシート１２０ａ〜１２０ｃが貼付されているが、その数は３つに限らず、１つ以上であればよい。
【００４７】
上記のように構成された配送伝票においては、同一差出人から同一受取人に同時に差し出される複数の配送品にシート１１０，１２０ａ〜１２０ｃがそれぞれ貼付されることになるが、シート１１０，１２０ａ〜１２０ｃには、同一の識別マーク１１４，１２４ａ〜１２４ｃがそれぞれ印刷されているため、同一差出人から同一受取人に同時に差し出される配送品を目視によっても容易に認識することができる。
【００４８】
（第３の実施の形態）
図５は、本発明の配送伝票の第３の実施の形態を示す図であり、（ａ）は表面構成を示す図、（ｂ）は積層構造を示す図である。
【００４９】
本形態は図５に示すように、第１のシート２１０と第２のシート２２０ａ〜２２０ｃとが粘着剤２３０によって同一の剥離紙２４０に剥離可能に貼付されて構成されており、それにより、シート２１０とシート２２０ａ〜２２０ｃとが同一紙面を形成するような構成となっている。シート２１０には、その表面に、差出人の住所や氏名、受取人の住所や氏名、品名等の配送情報が印字されるための配送情報印字領域２１１と、シート２１０が識別可能となるように所定の色で着色された着色領域２１５が設けられており、また、予め付与された識別情報が書き込まれ、非接触状態にて情報の書き込み及び読み出しが可能なＩＣモジュール２１３が内蔵されている。また、シート２２０ａ〜２２０ｃには、シート２１０の着色領域２１５と同一の色で着色された着色領域２２５ａ〜２２５ｃがそれぞれ設けられており、また、予め付与された識別情報がそれぞれ書き込まれ、非接触状態にて情報の読み出しが可能なＩＣモジュール２２３ａ〜２２３ｃが内蔵されている。また、シート１１０に内蔵されたＩＣモジュール２１３には、ＩＣモジュール２２３ａ〜２２３ｃの識別情報も書き込まれている。なお、着色領域２１５，２２５ａ〜２２５ｃにおいては、オンデマンドプリント技術を用いて、配送伝票毎に着色色が異なるように形成することが考えられる。また、本形態においては、シート２１０と同一の剥離紙２４０に３つのシート２２０ａ〜２２０ｃが貼付されているが、その数は３つに限らず、１つ以上であればよい。
【００５０】
上記のように構成された配送伝票においては、同一差出人から同一受取人に同時に差し出される複数の配送品にシート２１０，２２０ａ〜２２０ｃがそれぞれ貼付されることになるが、シート２１０，２２０ａ〜２２０ｃには、同一の色で着色された着色領域２１５，２２５ａ〜２２５ｃがそれぞれ設けられているため、同一差出人から同一受取人に同時に差し出される配送品を目視によっても容易に認識することができる。
【００５１】
なお、第２の実施の形態にて説明した識別マークと、第３の実施の形態にて説明した着色領域とを組み合わせて使用することにより、数多くのパターンが形成できるため、数多くの配送伝票について異なるパターンを表現でき、現場において同一のパターンが混在することを防止できる。
【００５２】
なお、上述した３つの実施の形態においては、シート１０，１１０，２１０とシート２０ａ〜２０ｃ，１２０ａ〜１２０ｃ，２２０ａ〜２２０ｃとが同一の剥離紙４０，１４０，２４０上に貼付された構成のものについて説明したが、シート１０，１１０，２１０上にシート２０ａ〜２０ｃ，１２０ａ〜１２０ｃ，２２０ａ〜２２０ｃを剥離可能に貼付し、それにより、シート１０，１１０，２１０とシート２０ａ〜２０ｃ，１２０ａ〜１２０ｃ，２２０ａ〜２２０ｃとが同一紙面を形成するような構成とすることも考えられる。
【００５３】
（第４の実施の形態）
図６は、本発明の配送伝票の第４の実施の形態を示す図であり、（ａ）は表面構成を示す図、（ｂ）は積層構造を示す図である。
【００５４】
本形態は図６に示すように、第１のシート３１０と第２のシート３２０ａ〜３２０ｃとが粘着剤３３０によって同一の剥離紙３４０に剥離可能に貼付されて構成されており、それにより、シート３１０とシート３２０ａ〜３２０ｃとが同一紙面を形成するような構成となっている。シート３１０には、その表面に、差出人の住所や氏名、受取人の住所や氏名、品名等の配送情報が印字されるための配送情報印字領域３１１が設けられているとともにシート３１０を識別可能なバーコード情報３１２が印刷されており、また、予め付与された識別情報が書き込まれ、非接触状態にて情報の書き込み及び読み出しが可能なＩＣモジュール３１３が内蔵されている。また、シート３２０ａ〜３２０ｃには、シート３１０に印刷されたバーコード情報３１２と同一のバーコード情報３２２ａ〜３２２ｃがそれぞれ印刷されており、また、予め付与された識別情報がそれぞれ書き込まれ、非接触状態にて情報の読み出しが可能なＩＣモジュール３２３ａ〜３２３ｃが内蔵されている。また、シート３１０に内蔵されたＩＣモジュール３１３には、ＩＣモジュール３２３ａ〜３２３ｃの識別情報も書き込まれている。さらに、本形態においては、剥離紙３４０において、シート３２０ａ〜３２０ｃに内蔵されたＩＣモジュール３２３ａ〜３２３ｃに対向する領域に、導電性材料３４１が形成されている。
【００５５】
上記のように構成された配送伝票においては、シート３２０ａ〜３２０ｃが剥離紙３４０に貼付された状態では、シート３２０ａ〜３２０ｃに内蔵されたＩＣモジュール３２３ａ〜３２３ｃに対向する領域に導電性材料３４１が形成されているため、ＩＣモジュール３２３ａ〜３２３ｃに書き込まれた情報を読み出すことはできない。一方、シート３２０ａ〜３２０ｃが剥離紙３４０から剥離された状態では、シート３２０ａ〜３２０ｃに内蔵されたＩＣモジュール３２３ａ〜３２３ｃは導電性材料３４１から離間することになるため、ＩＣモジュール３２３ａ〜３２３ｃに書き込まれた情報を読み出すことが可能となる。
【００５６】
本形態においては、図２に示した発行装置１にてＩＣモジュール３１３に書き込まれた情報を読み出す際に、ＩＣモジュール３２３ａ〜３２３ｃに書き込まれた情報を誤って読み出してしまうことを防止することができる。
【００５７】
また、剥離紙３４０から剥離されずに使用されていないシート３２０ａ〜３２０ｃが誤って使用されてしまうことを防止することができる。
【００５８】
なお、本形態においては、シート３１０とシート３２０ａ〜３２０ｃとが同一の剥離紙３４０上に貼付された構成のものについて説明したが、シート３１０上にシート３２０ａ〜３２０ｃを剥離可能に貼付し、それにより、シート３１０とシート３２０ａ〜３２０ｃとが同一紙面を形成するような構成とし、さらに、シート３１０のシート３２０ａ〜３２０ｃと対向する面に導電性材料が形成された構成とすることも考えられる。
【００５９】
【発明の効果】
以上説明したように本発明においては、配送情報を印字するための領域を有し、この領域に印字された配送情報によって配送される配送品に貼付される第１のシートと、第１のシートに印字された配送情報によって配送される配送品に貼付される少なくとも１つの第２のシートとが、互いに分離可能に、かつ、同一紙面を形成するように構成された配送伝票において、第１のシートに、情報の書き込み及び読み出しが可能なＩＣモジュールが内蔵され、また、第２のシートに、予め付与された識別情報が記録されたＩＣモジュールが内蔵され、さらに、第１のシートに内蔵されたＩＣモジュールに、第２のシートに内蔵されたＩＣモジュールの識別情報が書き込まれているため、第１のシートに配送情報を印字する際、第１のシートに内蔵されたＩＣモジュールから第２のシートに内蔵されたＩＣモジュールの識別情報を読み出し、これらの識別情報を第１のシートに印字する配送情報と対応づけて管理しておけば、第２のシートに内蔵されたＩＣモジュールから識別情報が読み出された場合に、第２のシートが貼付された配送品の配送情報を認識することができる。
【００６０】
このように、情報の書き込み及び読み出しが可能なＩＣモジュールを、配送品に貼付されるシートに内蔵することにより、配送品の配送管理を簡易にかつ正確に行うことができるようになる。
【００６１】
また、第１のシートと第２のシートとが分離されていない状態において、第２のシートに内蔵されたＩＣモジュールに対向する領域に導電性材料が形成されているものにおいては、第２のシートに内蔵されたＩＣモジュールから誤って情報を読み出してしまったり、第２のシートを誤って使用してしまったりすることを防止することができる。
【００６２】
また、第１及び第２のシートに同一の識別マークが印字されているものにおいては、同一の配送情報によって配送される配送品を目視によっても容易に認識することができる。
【００６３】
また、第１及び第２のシートに、同一色に着色された着色領域が設けられているものにおいては、同一の配送情報によって配送される配送品を目視によっても容易に認識することができる。
【図面の簡単な説明】
【図１】本発明の配送伝票の第１の実施の形態を示す図であり、（ａ）は表面構成を示す図、（ｂ）は積層構造を示す図である。
【図２】図１に示した配送伝票を発行する発行システムの実施の一形態を示す図である。
【図３】図２に示した発行システムにおいて図１に示した配送伝票を発行する際の処理を説明するためのフローチャートである。
【図４】本発明の配送伝票の第２の実施の形態を示す図であり、（ａ）は表面構成を示す図、（ｂ）は積層構造を示す図である。
【図５】本発明の配送伝票の第３の実施の形態を示す図であり、（ａ）は表面構成を示す図、（ｂ）は積層構造を示す図である。
【図６】本発明の配送伝票の第４の実施の形態を示す図であり、（ａ）は表面構成を示す図、（ｂ）は積層構造を示す図である。
【図７】従来の配送伝票の一例を示す図であり、（ａ）は表面構成を示す図、（ｂ）は積層構造を示す図である。
【符号の説明】
１　　発行装置
２　　上位装置
３　　発行情報データベース
４　　配送情報データベース
１０，２０ａ〜２０ｃ，１１０，１２０ａ〜１２０ｃ，２１０，２２０ａ〜２２０ｃ，３１０，３２０ａ〜３２０ｃ　　シート
１１，１１１，２１１，３１１　　配送情報印字領域
１２，２２ａ〜２２ｃ　　バーコード情報
１３，２３ａ〜２３ｃ，１１３，１２３ａ〜１２３ｃ，２１３，２２３ａ〜２３ｃ，３１３，３２３ａ〜３２３ｃ　　ＩＣモジュール
３０，１３０，２３０，３３０　　粘着剤
４０，１４０，２４０，３４０　　剥離紙
１１４，１２４ａ〜１２４ｃ　　識別マーク
２１５，２２５ａ〜２２５ｃ　　着色領域
３４１　　導電性材料
【図１】
2004045944.tif 000003
【図２】
2004045944.tif 000004
【図３】
2004045944.tif 000005
【図４】
2004045944.tif 000006
【図５】
2004045944.tif 000007
【図６】
2004045944.tif 000008
【図７】
2004045944.tif 000009